(57)【特許請求の範囲】
【請求項１】
物品の配達に必要な情報を記入するための部分を有する配達伝票であって、前記物品又はその包装あるいは梱包に添付されて前記物品と共に配達されるものであって、
略半分の領域に注意を喚起するための記載がある台紙と、
前記台紙の前記略半分の領域以外の他の略半分の領域にほぼ重ねて配置され、前記台紙と共に袋部を形成する部分と、
前記台紙の端部に連続してあるいは、前記台紙の一部として設けられ、折り曲げると前記袋部の開口部を封止できる接着用ふた部と、
前記台紙の前記注意を喚起するための記載がある部分を覆うように前記台紙に着脱可能に取り付けられ、取り外したときに前記注意を喚起するための記載がある部分が露出され、取り外した後、前記袋部の内部に挿入可能である支払伝票とを、
有する配達伝票。
【請求項２】
前記接着用ふた部が折り曲げられ前記開口部を封止した状態で前記接着用ふた部により封止された前記袋部を開口して前記支払伝票を取り出すため、ミシン目が前記接着用ふた部に設けられている請求項１に記載の配達伝票。
【請求項３】
前記台紙の裏面及び／又は前記台紙の延長部分の裏面に接着剤が塗布されていて、前記接着剤が容易に剥がすことの可能な裏面紙により覆われている請求項１又は２に記載の配達伝票。
【発明の詳細な説明】
【０００１】
【発明の属する技術分野】
本発明は、配達のための宛先などの情報が記載され、配達される物品や、その包装あるいは梱包などに添付されて物品と共に配達される配達伝票に関する。
【０００２】
【従来の技術】
一般に、配達先の住所や受取人の氏名などが記載された配達伝票は、配達される物品やその包装などに添付されて物品と共に配達される。また、物品の代金、送料、消費税などを含んだ請求金額を金融機関やコンビニエンスストアなどで支払うための支払伝票が当該物品と共に送付される場合は、配達途中で中身の金額を第三者に知られないようにするために、物品を梱包している箱などの中に入れられている。
【０００３】
近年、支払伝票を使用して行う振り込みなどの支払いは、郵便局や銀行などの金融機関だけでなく、コンビニエンスストアなどでも行えるようになっている。また、宅配される物品をコンビニエンスストアなどで一時留め置いて受取人が取りに行くようなシステムも開発され、かかるシステムを本出願人は特開平１０−２１４２８４号などで開示している。
【０００４】
【発明が解決しようとする課題】
このように、物品を受け取る場所と支払いをする場所が同じ所で行える場合は、支払いのために出直す面倒がないように、物品を受け取ると同時に支払いも済ませたいという要求がある。しかしながら、従来は、請求金額の記載された支払伝票が当該配達された物品の包装や、梱包された箱の中に入っていたので、その場で開封して支払伝票を取り出してからでないと支払いを行うことができず、面倒であった。また、いったん開封してしまった物品を家まで持って帰るのも持ち運びが不便であった。
【０００５】
一方、支払伝票を配送伝票と同じように物品の梱包の外側に添付することも考えられるが、この場合、配達途中で第三者が物品の金額を容易に判読可能である。金額が判読されると、プライバシーの侵害になるだけでなく、高価な物品である場合などは犯罪の危険も予測される。また、配送途中で支払伝票が汚れると支払いの際に機械で金額などの情報の読み取りができなくなるなどの不都合が生じる。このため、従来は、梱包された内部に支払伝票を入れておかなければならなかったのである。
【０００６】
したがって、本発明は上記従来の問題を解決し、配達伝票と共に支払伝票を、その内容が判読できない態様で物品の包装や梱包に添付することができる構成の配達伝票を提供することを目的とする。
【０００７】
【課題を解決するための手段】
上記目的を達成するため、本発明では支払伝票を第三者の目に触れないように、配達伝票に設けた袋部に挿入し、かつ袋部を破損しない限り内部の支払伝票を取り出すことができないよう袋部に接着用ふたを接着して配送できるようにしたものである。
【０００８】
すなわち本発明によれば、物品の配達に必要な情報を記入するための部分を有する配達伝票であって、前記物品又はその包装あるいは梱包に添付されて前記物品と共に配達されるものであって、
略半分の領域に注意を喚起するための記載がある台紙と、
前記台紙の前記略半分の領域以外の他の略半分の領域にほぼ重ねて配置され、前記台紙と共に袋部を形成する部分と、
前記台紙の端部に連続してあるいは、前記台紙の一部として設けられ、折り曲げると前記袋部の開口部を封止できる接着用ふた部と、
前記台紙の前記注意を喚起するための記載がある部分を覆うように前記台紙に着脱可能に取り付けられ、取り外したときに前記注意を喚起するための記載がある部分が露出され、取り外した後、前記袋部の内部に挿入可能である支払伝票とを、
有する配達伝票が提供される。
【０００９】
なお、前記接着用ふた部が折り曲げられ前記開口部を封止した状態で前記接着用ふた部により封止された前記袋部を開口して前記支払伝票を取り出すため、ミシン目が前記台紙の端部と前記接着用ふた部との間に設けられていることは、本発明の好ましい態様である。
【００１０】
さらに、前記台紙の裏面及び／又は前記台紙の延長部分の裏面に接着剤が塗布されていて、前記接着剤が容易に剥がすことの可能な裏面紙により覆われていることは、本発明の好ましい態様である。
【００１１】
【発明の実施の形態】
以下、図面を参照して本発明の好ましい実施の形態について説明する。図１は本発明に係る配達伝票１０の断面図であり、図２は平面図である。なお、図１の断面図は図２中の線Ｉ−Ｉでの断面を厚さ方向に拡大して示している。図１において、この実施の形態の配達伝票１０は、台紙１２と支払伝票１４を有している。台紙１２の略左半分には、配達票１８、貼付用用紙２０、売上票２２、ご依頼主用控２４が順次下から上へ向かって重ねられていて、左端部１０Ｌで全てが接着剤あるいは糊により相互に結合されている。図１中、接着剤（糊）は梨地模様にて示されている。
【００１２】
配達票１８、貼付用用紙２０、売上票２２、ご依頼主用控２４には、図２に示すように物品の配達に必要な情報を記入するための部分、すなわち配達先表示部分が設けられ、届け先住所、受取人氏名、その他宅配業者が配達に必要な情報（品名、壊れ物の表示、指定配達日及び時間帯など）が記入できる構成となっている。具体的には、貼付用用紙２０、売上票２２、ご依頼主用控２４の裏面の所定箇所にはカーボンが付着されていて、依頼主が一番上のご依頼主用控２４に筆記具やプリンタで上記届け先住所などを記入すると、その下の売上票２２、貼付用用紙２０、配達票１８の全てに同一情報が同時に記入される。なお、配達票１８は、ミシン目１８Ａで切り離し、配達伝票１０の本体から分離することが可能である。
【００１３】
台紙１２の左半分の中で、袋部形成用紙１６は、図３に示すように、同図の上下及び左端の３方の周囲で台紙１２の表面に対して接着されていて、台紙１２と共に袋部を形成している。図３は、図１、図２の配達伝票から、支払伝票１４と、配達票１８、貼付用用紙２０、売上票２２、ご依頼主用控２４を取り外した状態を示す図である。この袋部は、袋部形成用紙１６の右端に開口部１３Ａを有していて、ここから後述するように切り離された支払伝票１４が袋部の内部空間に挿入されるのである。
【００１４】
台紙１２の略右半分には、支払伝票１４が重ねて設けられ、支払伝票１４の左右の部分、すなわち台紙１２の略中央部と右端部（配達伝票の右端部１０Ｒに対応する位置）で接着剤１２Ｊ、１２Ｋを介して台紙１２に着脱可能に接着されている。台紙１２の裏面には接着剤１２Ｐ、１２Ｑが塗布されていて、これを覆うように着脱可能な裏紙２６が貼り付けられている。台紙１２の略中央部で３本のミシン目Ｍ１、Ｍ２、Ｍ３が縦方向に設けられている。ミシン目Ｍ２、Ｍ３の間の部分において台紙１２の表面には接着剤１２Ｓが塗布され、これを覆うように表面紙１３が貼り付けられている。後述するように表面紙１３が台紙１２から剥がされると、台紙１２のミシン目Ｍ１とＭ３の間の部分は折り曲げて開口部１３Ａを塞ぐ接着用ふた部３０となる。
【００１５】
図２に示すように、支払伝票１４には、品物代金、送料、消費税金額、請求金額、注文番号、受取人住所氏名などを記入する部分と、領収日押印欄が設けられている。支払伝票１４の下方に位置する台紙１２、すなわち、台紙１２の略右半分には、図３に示すように注意事項や支払方法などが記載されている。すなわち、支払伝票１４が袋部に挿入された状態で物品を受け取った受取人や、コンビニの店員などが、支払伝票１４の存在を認識していないことがあるため、袋部に支払伝票１４が存在することについて注意を喚起するために、この部分が用いられているのである。
【００１６】
次に本発明の配達伝票１０の使用方法について説明する。図１、図２の状態の配達伝票に対して販売者（依頼主）は、ご依頼主用控え２４にお届け先などを前述のように記入するとともに、支払伝票１４に、上記金額などの項目を記入する。なお、販売者が記入する代わりに、販売者から宅配業者に所定のデータが送られて、宅配業者が記入することもできる。これらの記入は、コンピュータの出力信号に応答するプリンタを用いてほぼ同時に行うことができる。配達伝票１０の左端部１０Ｌと右端部１０Ｒには、図２に示すようにプリンタのスプロケットの歯が入り込むための駆動用パンチ穴２８Ａ、２８Ｂが縦方向に設けられている。上記記入が終了すると、支払伝票１４を、台紙１２から切り離し、折り畳んで開口部１３Ａを介して袋部の内部空間に挿入する。
【００１７】
その後、表面紙１３を台紙１２から剥がすと、（図４の（ａ）、（ｂ）参照）台紙１２の表面のミシン目Ｍ２、Ｍ３の間の部分の接着剤１２Ｓが露出する。この状態で、台紙１２をミシン目Ｍ１で（ｂ）の矢印で示す方向に折り曲げて、（ｃ）に示すように開口部１３Ａを塞ぐように袋部形成用紙１６の端部に重ねてシール（封止）する。なお、図１に示すように、台紙１２のミシン目Ｍ１、Ｍ３の間の部分の裏面には接着剤が塗布されてないので、裏面紙２６から剥がす必要がない。（ｂ）と（ｃ）では、台紙１２の支払伝票１４の下の部分を取り去った状態を示しているが、この部分はそのまま残しておいてもよい。この場合、接着用ふた部３０を（ｃ）に示すように折り曲げても、図１に示すように台紙１２の接着用ふた部３０の左右の部分は接着剤１２Ｐ、１２Ｑで裏面紙２６に接着されているので、裏面紙２６を剥がすまでは、左右が分離することはない。
【００１８】
ご依頼主用控２4及び売上票２２は剥ぎ取られ、貼付用用紙２０が一番上に露出した状態とされ、この状態で、台紙１２の裏面の接着剤１２Ｐ、１２Ｑを覆っている裏面紙２６が剥がされ、台紙１２が配達する物品の包装などに接着、固定される。このとき、台紙１２の略右半分の注意事項や支払方法などが記載された部分も露出されて貼付されている。なお、物品の大きさの関係で台紙１２の略右半分をそのまま貼付できないときは、ミシン目Ｍ３で台紙１２の略右半分を切り離して、別の位置に貼付してもよい。
【００１９】
こうして、物品が配達業者に渡され、コンビニなど所定の届け先に配達されることとなる。物品を受け取る者は、指定日時以降にコンビニなどあらかじめ指定した届け先に出かけ、物品を受領に来た旨をコンビニの店員に申し出る。このとき、袋部の開口部１３Ａは、図４の（ｃ）の状態、すなわち、接着用ふた部が接着されてシールされた状態である。したがって、接着用ふた部３０のミシン目Ｍ１、Ｍ２に挟まれた部分３２を引き剥がすことにより、開口部１３Ａが再び開口することとなる。
【００２０】
なお、接着用ふた部３０のミシン目Ｍ１、Ｍ２に挟まれた部分３２には前述のように接着剤１２Ｓが塗布されていないので、容易に剥がすことができるのである。コンビニの店員は、開口部１３Ａを介して袋部から支払伝票１４を取り出し、そこに記載された金額などの情報を基に、その支払伝票１４を用いて物品を受け取る者から所定の金銭を受領してから、物品を手渡すこととなる。なお、上記の態様は、支払いを条件に物品を手渡す場合であって、単に受取人本人であるか否かを確認して手渡す場合は、受取人が支払伝票１４を取り出すこととなる。
【００２１】
上記実施の形態では、接着用ふた部３０は、台紙１２の一部であったが、台紙の一部である必要はなく、台紙１２に連続する他の部分であってもよい。また、支払伝票１４は、上記実施の形態では台紙１２に着脱可能に取り付けられているが、台紙１２の延長部分に設けたり、袋部形成用紙１６や接着用ふた部３０に設けてもよい。
【００２２】
なお、本発明は特許請求の範囲に記載された構成を有することが基本であるが、さらに、次のような変化形態も包含される。
▲１▼  前記ミシン目が所定の間隔をおいて略平行に２本設けられ、前記封止された袋部を開口する際に、前記２本のミシン目に挟まれた前記台紙部分を取り外すことが可能なよう構成された請求項２に記載の配達伝票。
▲２▼  前記台紙の延長部分であって、前記接着用ふた部に隣接する部分に前記支払伝票の端部が接着されている請求項１ないし３のいずれか１つに記載の配達伝票。
▲３▼  前記台紙の延長部分が前記支払伝票の下方に位置するよう設けられ、かつ前記配達伝票を取り扱う者へのメッセージが記載されている請求項１ないし３のいずれか１つに記載の配達伝票。
▲４▼  前記物品の配達に必要な情報を記入するための部分が前記袋部を形成する部分又はそこに重ねて設けられ、かつ複数枚の複写が可能な構造となっている請求項１又は２に記載の配達伝票。
【００２３】
【発明の効果】
以上説明したように本発明によれば、袋部に支払伝票を挿入して、その開口部を接着用ふた部にてシールする構成であるので、第三者に金額などの情報を知られることがなく、よってプライバシーの保護と防犯の効果があり、かつ物品を受け取る者又は、受け渡しを行う者は、物品の包装を取り去らなくても支払伝票を入手することができるので手間が省け便利である。また、支払伝票を使用せず、カードなどの他の方法で支払う場合でも包装を取り去ることなく、支払伝票に記載されている請求金額を確認して支払うことができるので、受取りと同時に支払うときは、非常に便利である。
【図面の簡単な説明】
【図１】本発明に係る配達伝票の好ましい実施の形態の断面図である。
【図２】図１の配達伝票の平面図である。
【図３】図２の配達伝票の内部を示す平面図である。
【図４】図３に示す開口部を塞ぐ工程を示す断面図である。
【符号の説明】
１０  配達伝票
１２  台紙
１２Ｊ、１２Ｋ、１２Ｐ、１２Ｑ、１２Ｓ  接着剤
１３  表面紙
１３Ａ  開口部
１４  支払伝票
１６  袋部形成用紙（台紙と共に袋部を形成する部分）
１８  配達票
１８Ａ、Ｍ１、Ｍ２、Ｍ３  ミシン目
２０  貼付用用紙
２２  売上票
２４  ご依頼主用控
２６  裏面紙
２８Ａ、２８Ｂ  駆動用パンチ穴
３０  接着用ふた部
【図１】
0003724700.tif 000002
【図２】
0003724700.tif 000003
【図３】
0003724700.tif 000004
【図４】
0003724700.tif 000005